(57)【要約】      （修正有）【課題】画面にディスプレイされる映像を見ながら画面の状態を最適に調整する。【解決手段】ＯＳＤメニュー制御部がＯＳＤ入力部からの入力信号によりモニター画面の上端に小型のメインメニューをディスプレイする工程と、ＯＳＤ入力部を通じてメインメニューのうち一つのメニューを選択すると、ＯＳＤメニュー制御部が選択されたサブメニューを画面の中央にディスプレイする工程と、ＯＳＤ入力部を通じてサブメニューのうち一つのメニューを選択すると、ＯＳＤメニュー制御部が前記サブメニューを消えるようにすると同時に選択されたメニューに対する小型の調節バーを画面の下端にディスプレイする工程と、モニターにディスプレイされる映像を見ながら、ＯＳＤ入力部を通じた調節バーの制御によって画質に対する設定値を調整する工程を含んで、画面にディスプレイされる映像を見ながら使用者が願う画面の状態を速かに最適で制御することができるようにする。【選択図】図３
2010217865.tif 000002
【特許請求の範囲】
【請求項１】
ＯＳＤ(On Screen Display)メニュー制御方法として、
ＡＯＳＤメニュー制御部１２０がＯＳＤ入力部１１０からの入力信号によってモニター画面の上端に小型のメインメニュー２１０をディスプレイする工程と、
ＢＯＳＤ入力部１１０を通じてメインメニュー２１０のうち一つのメニューを選択すると、ＯＳＤメニュー制御部１２０が前記選択されたメニューに対するサブメニュー２２０を画面の中央にディスプレイする工程と、
ＣＯＳＤ入力部１１０を通じてサブメニュー２２０のうち一つのメニューを選択すると、ＯＳＤメニュー制御部１２０が前記サブメニュー２２０を消えるようにすると同時に前記選択されたメニューに対する小型の調節バー２３０を画面の下端にディスプレイする工程と、  Ｄモニターを通じてディスプレイされる映像を見ながら、ＯＳＤ入力部１１０を通じた調節バー２３０の制御によって画質に対する設定値を調整する工程と、を含むことを特徴とするＯＳＤメニュー制御方法。
【請求項２】
前記ＯＳＤ入力部１１０は、
モニター１４０に設置されてＯＳＤメニューを設定するサイドキー１１２と、遠隔でＯＳＤメニューを設定するリモートコントローラー１１４を含むことを特徴とする請求項１に記載のＯＳＤメニュー制御方法。
【請求項３】
前記ＯＳＤメニュー制御部１２０は前記調節バー２３０に対する設定値の調整と同時にモニターにディスプレイされる映像の設定値を変化させることを特徴とする請求項１に記載のＯＳＤメニュー制御方法。
【発明の詳細な説明】
【技術分野】
【０００１】
本発明は、ＯＳＤメニュー制御方法に関する。より詳細には、本発明は画面の中央に位置したサブメニューの選択時画面の下端に生成される小型の調節バーを通じて、画面にディスプレイされる映像を見ながら画面の状態を最適に調整可能なＯＳＤメニュー制御方法に関する。
【背景技術】
【０００２】
一般に、モニターは内部のビデオカードから伝送される映像信号をデジタルサンプリング及びスケーリングなどのような一連の信号処理過程を経て該当映像を画面上にディスプレイする装置である。
【０００３】
このようなモニターは、陰極線管を使用する映像表示機器から始まり、近来には大型映像表示機器に好適な平板表示素子に至るまで多様な形態での発展を示した。そして、最近にはＬＣＤ装置を使用するデジタル方式に急速に常用化されている。
【０００４】
前記ＬＣＤ装置は、ＴＶ、ＤＶＤ、コンピューター及びＰＤＰのような小型家電に採用されて、チャンネルの種類、ボリュームの増減、現在日付及び曜日、現在時刻、画面明るさと対比、画面の大きさなどを画面に表示し、また各種メニューを選択することができるようにメニューをディスプレイして、使用者がより便利に映像を調整することができるＯＳＤ(On Screen Display)メニュー機能が提供される。
【０００５】
このようなＯＳＤメニューに対する従来の一例を、図１を参照して説明する。
すなわち、図１に示されたところのように、従来のＯＳＤメニューは使用者のリモートコントローラーのような入力信号の操作によって、モニター１０の中央にメインメニュー１１と共にサブメニュー１２がディスプレイされて、このメインメニュー１１のメニュー選択によって右側に該当サブメニュー１２がディスプレイされて、使用者がチャンネルの種類、ボリュームの増減、現在日付及び曜日、現在時刻、画面明るさと対比、画面の大きさなどを制御するようになる。
【先行技術文献】
【特許文献】
【０００６】
【特許文献１】米国特許出願公開第２００７／０１３６６８１Ａ１号明細書
【特許文献２】米国特許第７０３０８７０号明細書
【発明の概要】
【発明が解決しようとする課題】
【０００７】
しかし、前記のような従来のＯＳＤメニュー制御方法は、メインメニューと共にサブメニューが画面の中央に位置するために、使用者がメニューを設定する間には画面にディスプレイされる主な映像を視聴することができないのみならず、使用者が所望する画面の状態を最適に調整することができないという問題点がある。
【０００８】
また、画面の状態を調整する度にメインメニューとサブメニューを設定した後オフし、画面の状態を確認することができる。従って、画面の状態を最適に調整するためにはメインメニューとサブメニューを繰り返して設定しなければならないという不便さがある。
【０００９】
したがって、本発明は前記のような問題点を解決するためのものであり、その目的は画面のメニュー設定時、小型のメインメニューが画面の上端に位置され、メインメニュー選
択時に画面の中央にサブメニューを位置され、更にはサブメニュー選択時にサブメニューが消えると同時に画面の下端に小型の調節バーが位置されるようにして、画面にディスプレイされる映像を見ながら画面の状態を最適に調整することができるＯＳＤメニュー制御方法を提供することにある。
【課題を解決するための手段】
【００１０】
前記した目的を達成するために、本発明によるＯＳＤメニュー制御方法は、ＡＯＳＤメニュー制御部がＯＳＤ入力部からの入力信号によってモニター画面の上端に小型のメインメニューをディスプレイする工程と、ＢＯＳＤ入力部１１０を通じてメインメニュー２１０のうち一つのメニューが選択されると、ＯＳＤメニュー制御部１２０がこの選択されたメニューに対するサブメニュー２２０を画面の中央にディスプレイする工程と、ＣＯＳＤ入力部１１０を通じてサブメニュー２２０のうち一つのメニューが選択されると、ＯＳＤメニュー制御部１２０がサブメニュー２２０を消えるようにすると同時に前記選択されたメニューに対する小型の調節バー２３０を画面の下端にディスプレイする工程と、Ｄモニターを通じてディスプレイされる映像を見ながら、ＯＳＤ入力部１１０を通じた調節バー２３０の制御によって画質に対する設定値を調整する工程とを含む。
【００１１】
望ましくは、前記ＯＳＤ入力部１１０はモニター１４０に設置されてＯＳＤメニューを設定するサイドキー１１２と、遠隔でＯＳＤメニューを設定するリモートコントローラー１１４とを含む。
【００１２】
さらに望ましくは、前記ＯＳＤメニュー制御部１２０は調節バー２３０に対する設定値の調整と同時にモニターにディスプレイされる映像の設定値を変化させる。
【発明の効果】
【００１３】
本発明によるＯＳＤ制御方法によると、画面のメニュー設定時、小型のメインメニューが画面の上端に位置され、メインメニュー選択時に画面の中央にサブメニューが位置され、更には該当サブメニュー選択時サブメニューが消えると同時に画面の下端に生成された小型の調節バーを通じて該当メニューを調整する。このため、画面にディスプレイされる映像を見ながら使用者が所望する画面の状態を速かに、かつ最適に制御することができる。
【００１４】
すなわち、本発明は、使用者がその時点で視聴している映像を隠すことなくメニューの設定が可能になるため、使用者が所望する設定を易しく、かつ簡便にすることができる。
前記目的以外に本発明の他の目的及び利点らは、添付した図面を参照した実施例に対する詳細な説明を通じて明らかになるであろう。
【図面の簡単な説明】
【００１５】
【図１】従来のＯＳＤメニュー制御方法を説明するための説明図である。
【図２】本発明に適用されるＯＳＤメニュー制御システムの構成を概略的に示す説明面である。
【図３】本発明によるＯＳＤメニュー制御方法を示す流れ図である。
【図４】本発明に適用されるメインメニューとサブメニューの一例を示す説明図である。
【図５】本発明に適用される調節バーの一例を示す説明図である。
【発明を実施するための形態】
【００１６】
先ず、図２を参照して、本発明に適用されるＯＳＤメニュー制御システムを説明する。図２は、本発明に適用されるＯＳＤメニュー制御システムの構成を概略的に示す。本発明に適用されるＯＳＤメニュー制御システムは、ＯＳＤ入力部１１０、ＯＳＤメニュー制御部
１２０、ＯＳＤ出力部１３０及びモニター１４０を含む。
【００１７】
より具体的に述べると、ＯＳＤ入力部１１０は、使用者がチャンネルの種類、画面設定、音、現在日付及び曜日のようなメニュー設定に対する信号を入力する手段である。
この時、前記ＯＳＤ入力部１１０は、モニター１４０の側面または底面に設置されて使用者が直接ボタンを押しながらＯＳＤメニューを設定するサイドキー１１２と、使用者がＩＲ通信を通じて遠隔操作によりＯＳＤメニューを設定するリモートコントローラー１１４を含む。
【００１８】
ＯＳＤメニュー制御部１２０は、メインチップＭＣＵを含んで、前記ＯＳＤ入力部１１０から入力される信号を処理する。
ＯＳＤ出力部１３０は、前記ＯＳＤメニュー制御部１２０を介し制御されたチャンネルの種類、画面設定、音、現在日付及び曜日のようなメニュー設定命令を出力する。
【００１９】
モニター１４０は、前記ＯＳＤ出力部１３０の出力によってモニター上に出力される映像及びメニュー等をディスプレイする。
以下、添付した図面を参照して本発明によるＯＳＤメニュー制御方法を説明する。
【００２０】
図３は、本発明によるＯＳＤメニュー制御方法を示す流れ図であり、図４は本発明に適用されるメインメニューとサブメニューの一例を示す図面であり、図５は本発明に適用される調節バーの一例を示す図面である。
【００２１】
先ず、使用者は、モニター１４０にディスプレイされる映像を見ながら、チャンネルの種類、画面及び音のようなメニュー設定を調整しようとする時、サイドキー１１２またはリモートコントローラー１１４のようなＯＳＤ入力部１１０を操作して、メインメニューを呼び出す信号を伝達するＳ３１０。
【００２２】
次に、ＯＳＤメニュー制御部１２０は、前記ＯＳＤ入力部１１０からの信号によって図４に示すように、モニター画面の上端に小型のメインメニュー２１０をディスプレイさせるＳ３２０。
【００２３】
この時、前記メインメニュー２１０は、デジタル及びアナログのようなチャンネルの種類、映像設定、ＰＣチャンネル、音及び環境設定のようなメニューを含んで、以外に他のメニューを設定することができることは勿論である。
【００２４】
次に、使用者がＯＳＤ入力部１１０を通じてメインメニュー２１０のうち映像設定に対するメニューを選択するとＳ３２５、ＯＳＤメニュー制御部１２０は映像設定メニューに対するサブメニュー２２０を画面の中央にディスプレイさせるＳ３３０。
【００２５】
この時、前記映像設定メニューに対するサブメニューは、画質モード、明るさ、コントラスト、カラーなどを調整することができるメニューを含むことが望ましい。
以後、使用者がＯＳＤ入力部１１０を通じてサブメニュー２２０のうち画質設定に対するメニューを選択するとＳ３３５、ＯＳＤメニュー制御部１２０は前記サブメニュー２２０を消えるようにすると同時に、図５に示すように、画質設定に対する小型の調節バー２３０を画面の下端にディスプレイさせるＳ３４０。
【００２６】
この時、本発明の一実施例では調節バー２３０が画面の下端に小型にディスプレイされるものとして説明しているが、ディスプレイされる映像を視聴することができれば、画面の側面に小型で設置されてもよい。
【００２７】
次に、使用者はモニターを通じてディスプレイされる映像を見ながら、ＯＳＤ入力部１
１０を通じて調節バー２３０の画質に対する設定値を最適で調整した後、メニュー設定を終了するＳ３５０。
【００２８】
この時、前記ＯＳＤメニュー制御部１２０は前記調節バー２３０に対する設定値の調整と同時にモニターにディスプレイされる映像の設定値を変化させる。
すなわち、画面の下端にディスプレイされる調節バーを調整してメニューを設定するために、メニュー設定中にでも映像を逃さないで漏れ無く視聴することができるのみならず、画面にディスプレイされる映像に対する設定値が変化されることを確認しながらメニューを設定するから、迅速で正確にメニューを設定することができる。
【００２９】
以上では、本発明の一実施例によって本発明を説明したが、本発明が属する技術分野で通常の知識を有した者が本発明の技術的思想を脱しない範囲内で変更可能である。
すなわち、本発明の一実施例では、ＬＣＤ ＴＶのＯＳＤメニューを制御する方法を説
明しているが、コンピューター及びＰＤＰなどのモニターにも適用されることができる。
【００３０】
また、本発明の一実施例では画質設定に対する一例を説明しているが、チャンネルの種類、画面設定、音、現在日付及び曜日のようなメニュー設定にも同一な制御方法が適用される。
【符号の説明】
【００３１】
１１０…ＯＳＤ入力部
１１２…サイドキー
１１４…リモートコントローラー
１２０…ＯＳＤメニュー制御部
１３０…ＯＳＤ出力部
１４０…モニター
２１０…メインメニュー
２２０…サブメニュー
２３０…調節バー
【図１】
2010217865.tif 000003
【図２】
2010217865.tif 000004
【図３】
2010217865.tif 000005
【図４】
2010217865.tif 000006
【図５】
2010217865.tif 000007